(57)【要約】    【課題】  底パッドを用いることなく、しかも底部からの衝撃が十分に吸収できる中仕切りを有する包装箱を提供する。    【解決手段】  コ字状をなす一対の第１の中仕切り３１を同じくコ字状をなす第２の中仕切り３２と組合わせるようにし、第１の中仕切り３１の仕切り壁３６の切込み３７を第２の中仕切り３２の仕切り壁４２の切込み４３に互いに係合させ、第１の中仕切り３１の底板３８と第２の中仕切り３２の底板４５とを互いに重合わせ、包装箱内に組込む【選択図】        図４
2006225011.tif 000002
【特許請求の範囲】
【請求項１】
内部に中仕切りを配し、該中仕切りによって仕切られたそれぞれの空間に物品を収納するようにした包装箱において、
両側端が上方に直立するようにコ字状に折曲げられた第１の中仕切りと第２の中仕切りとを配し、
第１の中仕切りの直立する仕切り壁の底板の側端から側方に突出する根元部分に下端から上方に延びるように高さ方向の中間位置まで切込みを形成し、
第２の中仕切りの直立する仕切り壁の上端から下方に延びるように高さ方向の中間位置まで切込みを形成し、
前記第１の中仕切りの切込みと前記第２の中仕切りの切込みとを互いに上下から係合させ、前記第１の中仕切りの底板が前記第２の中仕切りの底板の上に重合うように重合わせて組立て、前記第１の中仕切りの仕切り壁と前記第２の中仕切りの仕切り壁とによって収納空間を形成することを特徴とする包装箱。
【請求項２】
第１の中仕切りの仕切り壁の切込みが該仕切り壁の側端との間に所定の距離を有し、前記第２の中仕切りの仕切り壁と包装箱の外壁との間に前記距離に相当する緩衝空間が形成されることを特徴とする請求項１に記載の包装箱。
【請求項３】
第２の中仕切りの仕切り壁の長さ方向の側端側の切込みが該仕切り壁の側端との間に所定の距離を有し、前記第１の中仕切りの仕切り壁と包装箱の外壁との間に前記距離に相当する緩衝空間が形成されることを特徴とする請求項１または請求項２に記載の包装箱。
【請求項４】
第１の中仕切りおよび第２の中仕切りが段ボールから構成されることを特徴とする請求項１に記載の包装箱。
【請求項５】
前記収納空間内に収納される物品がパウチであって、両端にそれぞれスパウトを有することを特徴とする請求項１に記載の包装箱。
【発明の詳細な説明】
【技術分野】
【０００１】
本発明は包装箱に係り、とくに内部に中仕切りを配し、該中仕切りによって仕切られたそれぞれの空間に物品を収納するようにした包装箱に関する。
【背景技術】
【０００２】
各種の物品を物流に供するために、包装箱が広く用いられている。例えば段ボールから成る直方体状の包装箱内に物品を収納するようにし、これによって輸送中における外部からの衝撃からの物品の保護を図るようにしている。ここで単一の包装箱内に複数の物品を並べて配する場合には、包装箱内で物品が互いに移動したり、あるいはまた物品同士が干渉し合って物品が破損する可能性がある。そこで特開２００２−２２５８４８号公報、特開２００２−２４９１３９号公報、特開２００２−２４９１４０号公報等に開示されているように、包装箱内に中仕切りを収納保持し、この中仕切りによって区画されるそれぞれの空間に物品を収納するようにしている。
【０００３】
例えば医療用の機能性食品を梱包して輸送するための外装箱５５内に、図９に示すような中仕切り５６を配し、この中仕切り５６によって区画されるそれぞれの空間に、機能性食品のパウチを区画して収納するようにしている。
【０００４】
中仕切り５６は図１０に示すように、２枚の縦方向の仕切り板５７と４枚の横方向の仕切り板５８とを組合わせるようにしている。縦方向の仕切り板５７にはその上縁側に下方に高さ方向の中間位置まで切込み５９を切込んで形成する。これに対して横方向の仕切り板５８には、その下縁の両側に高さ方向の上方に延びるように切込み６０を形成する。そしてこれらの切込み５９、６０を互いに係合させることによって、縦方向の２枚の仕切り板５７と横方向の４枚の仕切り板５８とを互いに組合わせる。さらに高さ方向の寸法が小さくてしかも縦方向の仕切り板５７と同一の長さの補助板６１を、横方向の仕切り板５８の下縁に形成された短い切込み６２に係合させるようにしている。
【０００５】
このような中仕切り５６は底板を備えず、底部が貫通しているために、とくに外装箱５５の底部からの衝撃から、パウチを保護することができない。そこで上記中仕切り５６の下側であって外装箱５５の底板の上側に３枚の底パッド６５を重ねるように配しており、これによって，とくに底部側の緩衝性を向上させるようにしている。
【０００６】
一般に筒状口部から成るスパウトを備えたパウチは破袋し易い。このために３枚の底パッド６５を重ねてスパウトを保護しなければならないが、このような外装箱５５は、その中仕切り５６や底パッド６５の装着のために手作業によって組立てる必要がある。
【０００７】
このようなスパウトの包装形態は、中仕切りを構成する部品点数が多く、さらに３枚の底パッド６５を底部に配する必要があって過剰包装になり、包装コストが増大する。またこのような中仕切り５６や底パッド６５を組立てる作業が付属品が多い場合に、手作業にならざるを得ず、自動化が困難になる欠点がある。
【特許文献１】特開２００２−２２５８４８号公報
【特許文献２】特開２００２−２４９１３９号公報
【特許文献３】特開２００２−２４９１４０号公報
【発明の開示】
【発明が解決しようとする課題】
【０００８】
本願発明の課題は、部品点数が少なく、しかも内部に収納された物品を確実に保護することができる中仕切り付きの包装箱を提供することである。
【０００９】
本願発明の別の課題は、包装箱内に配される中仕切りの構造を簡潔にするとともに、確実に物品を保護できるようにした包装箱を提供することである。
【００１０】
本願発明のさらに別の課題は、中仕切りの底部に別部材から成る底パッドを配する必要がないようにした包装箱を提供することである。
【００１１】
本願発明のさらに別の課題は、底パッドを組合わせて用いることなく、しかも底部からの衝撃から物品を確実に保護することができるようにした包装箱を提供することである。
【００１２】
本願発明のさらに別の課題は、手作業によることなく自動的に組立てを行うことが可能な包装箱を提供することである。
【００１３】
本願発明のさらに別の課題は、中仕切りを有し、しかもコストの低い包装箱を提供することである。
【００１４】
本願発明の上記の課題および別の課題は、以下に述べる本願発明の技術的思想およびその実施の形態によって明らかにされよう。
【課題を解決するための手段】
【００１５】
本願の主要な発明は、内部に中仕切りを配し、該中仕切りによって仕切られたそれぞれの空間に物品を収納するようにした包装箱において、
両側端が上方に直立するようにコ字状に折曲げられた第１の中仕切りと第２の中仕切りとを配し、
第１の中仕切りの直立する仕切り壁の底板の側端から側方に突出する根元部分に下端から上方に延びるように高さ方向の中間位置まで切込みを形成し、
第２の中仕切りの直立する仕切り壁の上端から下方に延びるように高さ方向の中間位置まで切込みを形成し、
前記第１の中仕切りの切込みと前記第２の中仕切りの切込みとを互いに上下から係合させ、前記第１の中仕切りの底板が前記第２の中仕切りの底板の上に重合うように重合わせて組立て、前記第１の中仕切りの仕切り壁と前記第２の中仕切りの仕切り壁とによって収納空間を形成することを特徴とする包装箱に関するものである。
【００１６】
ここで、第１の中仕切りの仕切り壁の切込みが該仕切り壁の側端との間に所定の距離を有し、前記第２の中仕切りの仕切り壁と包装箱の外壁との間に前記距離に相当する緩衝空間が形成されてよい。また第２の中仕切りの仕切り壁の長さ方向の側端側の切込みが該仕切り壁の側端との間に所定の距離を有し、前記第１の中仕切りの仕切り壁と包装箱の外壁との間に前記距離に相当する緩衝空間が形成されてよい。また第１の中仕切りおよび第２の中仕切りが段ボールから構成されるてよい。また前記収納空間内に収納される物品がパウチであって、両端にそれぞれスパウトを有してよい。
【発明の効果】
【００１７】
本願の主要な発明は、内部に中仕切りを配し、該中仕切りによって仕切られたそれぞれの空間に物品を収納するようにした包装箱において、両側端が上方に直立するようにコ字状に折曲げられた第１の中仕切りと第２の中仕切りとを配し、第１の中仕切りの直立する仕切り壁の底板の側端から側方に突出する根元部分に下端から上方に延びるように高さ方向の中間位置まで切込みを形成し、第２の中仕切りの直立する仕切り壁の上端から下方に延びるように高さ方向の中間位置まで切込みを形成し、第１の中仕切りの切込みと第２の中仕切りの切込みとを互いに上下から係合させ、第１の中仕切りの底板が第２の中仕切りの底板の上に重合うように重合わせて組立て、第１の中仕切りの仕切り壁と第２の中仕切りの仕切り壁とによって収納空間を形成するようにしたものである。
【００１８】
従ってこのような包装箱によれば、第１の中仕切りと第２の中仕切りとを組合わせて、内部に物品を収納する空間を画成することが可能な包装箱を提供できるようになる。しかも第１の中仕切りの底板が第２の中仕切りの底板の上に重合うように重ねて組立てられるために、底部側からの衝撃を第１の中仕切りの底板と第２の中仕切りの底板とによって緩衝することが可能になり，底パッドを追加する必要がなくなる。
【発明を実施するための最良の形態】
【００１９】
以下本願発明を図示の実施の形態によって説明する。図１は外装箱から成る包装箱を組立てるための段ボールを展開して示したものであって、この段ボールはその段方向と交差する方向に長辺側側板１１、短辺側側板１２、長辺側側板１３、短辺側側板１４を互いに折曲げ線１５によって折曲げ可能に連結している。そして長辺側側板１１の左端には折曲げ線１６を介して接合片１７が設けられている。接合片１７は反対側の短辺側側板１４の端部に糊付けするためのものである。また上記接合片１７には上端に突片１８が形成されている。
【００２０】
長辺側側板１１、１３の下端にはそれぞれ折曲げ線２１を介して底板１９が連設されている。これに対して短辺側側板１２、１４の下端にはそれぞれ補助フラップ２０が折曲げ線２２を介して接合されている。また長辺側側板１１、１３の上端にはそれぞれ折曲げ線２５を介して蓋板２３が接合され、短辺側側板１２、１４の上端にはそれぞれ折曲げ線２６を介して補助フラップ２４が接合されている。
【００２１】
このような段ボールは、折曲げ線１５のところで４枚の側板１１〜１４を互いに角筒状に折曲げるとともに、接合片１７を短辺側側板１４の端部に糊付けし、さらに折曲げ線２２のところで補助フラップ２０を内側へ折曲げ、折曲げ線２１によって底板１９を折曲げることによって、図５に示すような直方体状の包装箱が組立てられる。
【００２２】
これに対して、この包装箱内に組込まれる中仕切りは、図２および図４に示す第１の中仕切り３１と、図３および図４に示す第２の中仕切り３２とを組立てて構成される。
【００２３】
第１の中仕切り３１は図２に示すように、その底板の両側に折曲げ線３５が形成されるとともに、折曲げ線３５の両側であってダンボールの段の方向の端部に仕切り壁３６がそれぞれ形成される。そして上記仕切り壁３５の底板から側方に突出する部分の根元側には上方に延びるように高さ方向の１／２の位置まで切込み３７が形成される。そして仕切り壁３６間が底板３８になっている。
【００２４】
これに対して第２の中仕切り３２は図３に示すように、そのダンボールの段の方向と直交する両側に折曲げ線４１が形成されるとともに、折曲げ線４１の側端側が仕切り壁４２になっている。そして仕切り壁４２の上端には、中間位置に一対の切込み４３が形成され、両側端側には側端側の切込み４４が形成されている。そして仕切り壁４２間が底板４５になっている。
【００２５】
これら第１の中仕切り３１と第２の中仕切り３２とは、図４に示すように互いに組立てられる。すなわち第１の中仕切り３１と第２の中仕切り３２とをそれぞれ折曲げ線３５、４１のところで折曲げてコ字状の形状にする。そして第１の中仕切り３１の仕切り壁３６の下端から上方に延びるように形成される切込み３７を第２の中仕切り３２の仕切り壁４２の切込み４３、４４にそれぞれ係合させる。すなわち一対の第１の中仕切り３１を単一の第２の中仕切り３２に組合わせることによって、例えば３つの収納空間を形成することが可能になる。
【００２６】
このような中仕切り３１、３２によって区画された包装箱内のそれぞれの空間には、パウチ５０が収納される。この実施の形態においては、中仕切り３１、３２によって区画されたそれぞれの空間に５個のパウチ５０が図６および図７に示すように収納保持されるようになっている。
【００２７】
パウチ５０は図８に示すように、アルミニウムと高分子フィルム、ないしは高分子フィルム同士の接合構造のシートから成るバッグであって、その軸線方向の両端にそれぞれ円筒状のスパウト５１を備えており、中には例えば医療用の機能性栄養食品をペースト状にして充填している。なおこのパウチ５０のスパウト５１を含む軸線方向の長さは、例えば、２６０ｍｍ程度の値である。そしてこのようなパウチ５０が図６および図７に示すように、それぞれの空間に５個ずつ整列して収納されることになる。
【００２８】
このような包装の形態は、とくに第１の中仕切り３１と第２の中仕切り３２とがともに底板３８、４５を有し、これらが互いに重合わされるようになっているために、底部からの衝撃を底板３８、４５によって緩衝することができる。従って中仕切りと組合わせて底パッドを用いる必要がなくなる。
【００２９】
またとくに図４および図７に示すように、第１の中仕切り３１の仕切り壁３６の下端の切込み３７が仕切り壁３６の側端から内側に所定の距離ずれており、この距離に相当する空間が包装箱の長辺側側板１１、１３と仕切り壁４２との間に形成され（図７参照）、これによって両側の長辺側側板１１、１３に対する側方からの衝撃を緩衝できるようになる。
【００３０】
また第２の中仕切り３２の側端側の切込み４４が仕切り壁４２の側端よりも所定の距離だけ内側にずれており、この距離に相当する空間が包装箱の短辺側側板１２、１４と仕切り壁３６との間に形成される（図７参照）。従って短辺側側板１２、１４に対して側方から加わる衝撃をこの空間で吸収することが可能になり、これによって側方からの衝撃に対するパウチ５０の保護が可能になる。
【００３１】
またこのような包装箱は、その中仕切りがとくに図４に分解して示すように、単一の第２の中仕切り３２に対して一対の第１の中仕切り３１を上方から組合わせることによって組立てられる。従って中仕切りの部品点数が少なくなるとともに、組立てを自動化することが可能になる。これによって包装箱の低コスト化が図られることになる。
【００３２】
次に実際に落下試験を行った結果を示す。ここでは４００ｍｌの医療用機能性食品を充填したパウチ５０を１つの包装箱内に１５個充填し、大型冷蔵庫内において２．７℃に一晩以上の時間維持した状態で落下試験を行なった。落下試験は底面側を下にした場合は高さ６０ｃｍから、長辺側側板および短辺側側板を下面にした場合にはそれぞれ５０ｃｍの高さから落下させた。そして総ての面からの落下において破袋がなければ、それぞれの面について高さを１０ｃｍずつ上げて落下テストを行なった。落下テストの結果は表１に示される。表１中、「余裕無し」、「余裕５ｍｍ」、「余裕１０ｍｍ」とあるのは、パウチ５０のスパウト５１と中仕切りの仕切り壁４２との間の隙間を示している。結果から明らかなように、この包装形態は高い衝撃吸収性能を有することが確認された。
【００３３】
【表１】
2006225011.tif 000003
【００３４】
またこのような中仕切りを内蔵し、それぞれの空間内に５個ずつのパウチ５０を充填した包装箱の３面の落下強度の比較を行なった結果、従来の包装形態と比較して、落下試験では従来と同等またはそれ以上の緩衝効果が得られている。
【００３５】
以上本願発明を図示の実施の形態によって説明したが、本願発明は上記実施の形態によって限定されることなく、本願に含まれる発明の技術的思想の範囲内で各種の変更が可能である。例えば上記実施の形態は医療用機能性食品を充填したパウチ５０を梱包するための包装箱に関するものであるが、本願発明はその他各種の物品の収納、梱包に広く利用可能である。
【産業上の利用可能性】
【００３６】
本願発明は、各種の物品を物流に供するための包装箱として広く利用可能である。
【図面の簡単な説明】
【００３７】
【図１】包装箱を組立てる段ボールの展開平面図である。
【図２】第１の中仕切りの展開平面図である。
【図３】第２の中仕切りの展開平面図である。
【図４】中仕切りの組立てを示す分解斜視図である。
【図５】組立てられた中仕切りを包装箱内に組込む動作を示す斜視図である。
【図６】中仕切りを組込んだ包装箱内へパウチを充填する動作を示す斜視図である。
【図７】パウチが配列して収納された包装箱の平面図である。
【図８】パウチの外観斜視図である。
【図９】従来の中仕切りの包装箱に対する組込み動作を示す斜視図である。
【図１０】同中仕切りの分解斜視図である。
【符号の説明】
【００３８】
１１  長辺側側板
１２  短辺側側板
１３  長辺側側板
１４  短辺側側板
１５、１６  折曲げ線
１７  接合片
１８  突片
１９  底板
２０  補助フラップ
２１、２２  折曲げ線
２３  蓋板
２４  補助フラップ
２５、２６  折曲げ線
３１  第１の中仕切り
３２  第２の中仕切り
３５  折曲げ線
３６  仕切り壁
３７  切込み
３８  底板
４１  折曲げ線
４２  仕切り壁
４３  切込み(中間位置)
４４  切込み(側端側)
４５  底板
５０  パウチ
５１  スパウト
５５  外装箱
５６  中仕切り
５７  仕切り板(縦方向)
５８  仕切り板(横方向)
５９、６０  切込み
６１  補助板
６２  切込み
６５  底パッド
【図１】
2006225011.tif 000004
【図２】
2006225011.tif 000005
【図３】
2006225011.tif 000006
【図４】
2006225011.tif 000007
【図５】
2006225011.tif 000008
【図６】
2006225011.tif 000009
【図７】
2006225011.tif 000010
【図８】
2006225011.tif 000011
【図９】
2006225011.tif 000012
【図１０】
2006225011.tif 000013